(57)【要約】【課題】  着用時における耳朶の痛みを軽減するとともに耳朶からの脱落を確実に防ぐことができるイヤリングを提供する。【解決手段】  装飾体５とねじ形固定具２を備えた取付体３とを有し、ねじ形固定具２はねじ軸部６と球状押圧部７とつまみ８とを有し、装飾体５は耳朶支持部９を有し、耳朶支持部９は軸部１０と球状支持部１１とを有し、ねじ形固定具２と耳朶支持部９は同一軸線上に位置するように配置され、ねじ形固定具２の球状押圧部７と耳朶支持部９の球状支持部１１は耳朶の両面に深い凹部を形成するように耳朶を挟圧支持する。【選択図】図１
2008093373.tif 000002
【特許請求の範囲】
【請求項１】
装飾体と、ねじ形固定具を備え装飾体に連結された取付体とを有し、ねじ形固定具は、取付体を貫通するように螺着されたねじ軸部と、ねじ軸部の装飾体に近い端に設けられた球状押圧部と、ねじ軸部の反対端に設けられたつまみとを有し、装飾体は、ねじ形固定具に対向配置された耳朶支持部を有し、耳朶支持部は、装飾体の裏面に固定された軸部と、軸部の先端に設けられた球状支持部とを有し、ねじ形固定具と耳朶支持部は、同一軸線上に位置するように配置され、ねじ形固定具の球状押圧部と耳朶支持部の球状支持部は、耳朶の両面に深い凹部を形成するように耳朶を挟圧支持することを特徴とするイヤリング。
【発明の詳細な説明】
【技術分野】
【０００１】  本発明は、着用時における耳朶の痛みを軽減し、耳朶からの脱落をしにくくしたイヤリングに関する。
【背景技術】
【０００２】  一般に、イヤリングは、耳朶に形成した孔に装着されるピアスタイプのイヤリングと、耳朶の両面を押圧する挟持タイプのイヤリングに分けられ、挟持タイプのイヤリングには、装飾体にクリップを取り付け、クリップの弾性力を利用してクリップと装飾体との間で耳朶を挟持するクリップ式イヤリングと、装飾体にねじ形固定具を備えた取付体を連結し、ねじ形固定具と装飾体との間で耳朶を挟持するねじ式イヤリングがある。
ピアスタイプのイヤリングは、耳朶の孔を挿通した取付軸の軸端に止め具を固着することで装着されるので、着用している間に、耳朶に痛みが生じたり、耳朶から脱落することはない。
クリップ式イヤリングは、クリップの弾性力を利用して耳朶に装着されるので、クリップの圧力調整がむずかしく、耳朶が厚い場合には耳朶を痛めたり、耳朶が薄い場合には耳朶から脱落しやすいという難点がある。
ねじ式イヤリングは、取付体に設けたねじ形固定具のねじ軸を回転させることで、ねじ軸に設けた押圧部の面部分と装飾体の裏面で耳朶を挟持するので、押圧部の圧力調整はできるが、耳朶からの脱落を防ぐために押圧部に加えられる押圧力を強くすると、耳朶に強い痛みが生じ、長時間の装着に適していないという難点がある。
上記ねじ式イヤリングの難点を解消するために、装飾体の裏面に半球状支持部を設け、ねじ形固定具のねじ軸の先端に半球状押圧部を設け、ねじ形固定具の半球状押圧部と装飾体に設け半球状支持部で耳朶を挟圧支持するようにしたイヤリングが開発されている（特許文献１参照）。
【特許文献１】実用新案登録第３０９７０７８号
【発明の開示】
【発明が解決しようとする課題】
【０００３】  しかしながら、上記形式のイヤリングは、半球状支持部が装飾体裏面に形成されているため、装飾体の裏面が抵抗となって半球状支持部を耳朶に深く入り込ませることができず、着用時における耳朶からの脱落を確実に防ぐことはできない。
本発明の目的は、前記従来技術の有する問題点を解消し、着用時における耳朶の痛みを軽減するとともに耳朶からの脱落を確実に防ぐイヤリングを提供することにある。
【課題を解決するための手段】
【０００４】  本発明によるイヤリングは、装飾体とねじ形固定具を備え装飾体に連結された取付体とを有し、ねじ形固定具は取付体を貫通するように螺着されたねじ軸部とねじ軸部の装飾体に近い端に設けられた球状押圧部とねじ軸部の反対端に設けられたつまみとを有し、装飾体はねじ形固定具に対向配置された耳朶支持部を有し、耳朶支持部は装飾体の裏面に固定された軸部と軸部の先端に設けられた球状支持部とを有し、ねじ形固定具と耳朶支持部は、同一軸線上に位置するように配置され、ねじ形固定具の球状押圧部と耳朶支持部の球状支持部は、耳朶の両面に深い凹部を形成するように耳朶を挟圧支持するように構成される。
【発明の効果】
【０００５】  本発明によれば、耳朶をねじ形固定具に設けた球状押圧部と装飾体に設けた球状支持部で、耳朶の両面に深い凹部を形成するように耳朶を挟圧支持するので、着用時における耳朶の痛みを軽減するとともに耳朶からの脱落を確実に防ぐことができる。
【発明を実施するための最良の形態】
【０００６】  以下、本発明によるイヤリングの一実施形態について、添付の図面を参照しながら説明する。
本発明によるイヤリング１は、図１に示すように、ねじ形固定具２を設けた取付体３と取付体３に耳朶収容空間４を形成するように連結された装飾体５とから構成されている。
上記取付体３に設けられたねじ形固定具２は、取付体３の端部３ａに形成されたねじ孔を通すように螺着されたねじ軸部６と、このねじ軸部６の袋飾体５に近い端に一体成形された球状押圧部７と、ねじ軸部６の反対端に固着されたつまみ８とを有する。球状押圧部７は、耳朶１２（図２）に深い凹部を形成するようにねじ軸部６の直径より僅かに大きい外径であることが好ましい。
上記装飾体５は、裏面５ａに取付体３に設けられたねじ形固定具２に対向するように配置された耳朶支持部９を有する。耳朶支持部９は、一端を装飾体５の裏面５ａに固定された軸部１０とこの軸部１０の先端に設けられた球状支持部１１とを有する。耳朶支持部９の軸部１０および球状支持部１１とねじ形固定具２のねじ軸部６および球状押圧部７は、同一軸線上に位置するように配置されている。球状支持部１１は、耳朶１２（図２）に深い凹部を形成するように軸部１０の直径より僅かに大きい外径であることが好ましい。
つぎに、本発明によるイヤリング１の使用方法を説明する。
イヤリング１の着用準備段階において、ねじ形固定具２のつまみ８を反時計方向に回わし、つまみ８に連動するねじ軸部６を取付体３の端部３ａに設けたねじ孔に沿って右方向に移動させ、ねじ軸部６に設けた球状押圧部７を装飾体５の裏面５ａに設けた球状支持部１１から離れる方向に移動させる。取付体３の球状押圧部７と耳朶支持部９の球状支持部１１の間隔が、図に示すように、耳朶１２の厚さより大きくなったら、イヤリング１の着用準備段階が終了する。
つぎに、イヤリング１を耳朶収容空間４が耳朶６に対向するように耳朶６の直下に配置し、イヤリング１を上方に動かすことでイヤリング１の耳朶収容空間４に耳朶１２を挿入する。
ついで、つまみ８を時計方向に回わし、つまみ８に一体のねじ軸部６を取付体３の端部３ａに設けたねじ孔に沿って左方向に移動させ、ねじ軸部６に設けた球状押圧部７を装飾体５の裏面５ａに設けた球状支持部１１に近づく方向に移動させる。これにより、耳朶１２は、ねじ形固定具２に設けた球状押圧部７と耳朶支持部９に設けた球状支持部１１により挟圧支持される。耳朶１２に加えられる挟圧力は、球状押圧部７と球状支持部１１により耳朶１２の両面に深い凹みが形成されるように調節される。
しかして、本発明によるイヤリング１は、耳朶１２を取付体３に設けた球状押圧部７と装飾体５に設けた球状支持部１１により挟圧支持することで、着用時における耳朶１２の痛みを軽減するとともに、加えられる外力による耳朶１２からの脱落を確実に防ぐことができる。
【図面の簡単な説明】
【０００７】
【図１】  本発明によるイヤリングの側面図である。
【図２】  本発明によるイヤリングの使用状態を示す図である。
【符号の説明】
【０００８】  １  イヤリング
２  ねじ形固定具
３  取付体
４  耳朶収容空間
５  装飾体
７  球状押圧部
９  耳朶支持部
１１  球状支持部
１２  耳朶
【図１】
2008093373.tif 000003
【図２】
2008093373.tif 000004
【手続補正書】
【提出日】平成19年5月29日(2007.5.29)
【手続補正１】
【補正対象書類名】図面
【補正対象項目名】全図
【補正方法】変更
【補正の内容】
【図１】
2008093373.tif 000005
【図２】
2008093373.tif 000006